(57)【特許請求の範囲】
【請求項１】
２本の支柱が交差され、互いの交差部において連結され、互いに対向する一対の支持部と、
前記一対の支持部間において、前記支柱の一方の端部同士を連結するように設けられた回転支軸と
前記一対の支持部間において、前記支柱の他方の端部同士を連結するように設けられ第一被係止部と、
前記回転支軸を支点に回転し、前記回転支軸とは対向する縁部に形成された係止部が、第一被係止部と係合することで、物を設置可能な棚となる板状部と、
を備える棚部が複数連結された縦横自在棚であって、
前記棚部が縦方向に並ぶように連結された第１状態と、前記棚部が横方向に並ぶように連結された第２状態とに変形可能であり、
前記支柱のうち、前記回転支軸が設けられた側の支柱間を、前記回転支軸との間に隙間が形成されるように、第二被係止部が架設され、
前記第１状態においては、前記板状部の、前記係止部は、前記第一被係止部と係合され、
前記第２状態においては、前記板状部の、前記係止部は、前記第二被係止部と前記回転支軸との間の隙間に係合される
ことを特徴とする縦横自在棚。
【請求項２】
前記第一被係止部は、回転可能であり、前記係止部と係合される際に、前記係止部に係合する角度に回転される
ことを特徴とする請求項１に記載の縦横自在棚。
【請求項３】
前記板状部に複数の形状に模った凹部を設けることで物を区別して設置することが可能となることを特徴とする請求項１、又は２記載の縦横自在棚。
【請求項４】
前記係止部が、前記第一被係止部、及び前記第二被係止部のいずれも係合されていない状態において、前記支持部が折り畳まれてそれぞれの前記板状部が重なった状態となる
ことを特徴とする請求項１〜３のいずれか一項に記載の縦横自在棚。
【発明の詳細な説明】
【技術分野】
【０００１】
本発明は収納ラックに関する。さらに詳しくは、折り畳み式の収納ラックに関する。
【背景技術】
【０００２】
従来の折り畳み式収納ラックとは、使用したい時には組み立て、また不使用時においては折り畳んで空間容積を減少させ、収納、運搬等における利便性を図るといったものである。収納ラックとして使用する際の形状は予め決まっており、その折り畳まれない状態の完成型としてか、又は使用しない場合の折り畳まれたコンパクトな状態か、のどちらかの状態を保持するものである。例えば、特許文献１に記載の折り畳み式収納ラックでは、物品載置用の底棚と、その底棚の両側に設けた支柱柱に、支持軸を介して回動可能に軸着した折り畳み可能な両側枠と、底棚の背面側に回動可能に下端を軸支するとともに両側枠の後方部に係合する係合部を設けた背面枠と、からなるものであり、使用する際はこの両側枠と背面枠とが底棚に対して垂直に立てられた状態で固定され、直方体や立方体のような形状となる。また使用しない場合は、これら両側枠と背面枠とが底棚に対して水平に重なり合うように折り畳まれることでコンパクトな状態となる。
【先行特許文献】
【０００３】
【特許文献１】特開２０００−３１６６４１号公報
【０００４】
【発明の概要】
【発明が解決しようとする課題】
【０００５】
以上に述べた従来の折り畳み式収納ラックでは、予め決められた通りの組み立て方法で作り出される完成型としては一通りのみであるから、使用できる状態におけるその収納ラックの使い道はその一通りに限定されるという問題があった。
【０００６】
本発明は上記事情に鑑み、不使用時には折り畳むことによって収納や運搬等における利便性を図るのみならず、使用したい空間や状況に合わせて、棚の形態を容易に変更することのできる折り畳み式収納ラックを提供することを目的とする。
【課題を解決するための手段】
【０００７】
第１発明は、２本の支柱が交差され、互いの交差部において連結され、互いに対向する一対の支持部と、前記一対の支持部間において、前記支柱の一方の端部同士を連結するように設けられた回転支軸と、前記一対の支持部間において、前記支柱の他方の端部同士を連結するように設けられた第一被係止部と、前記回転支軸を支点に回転し、前記回転支軸とは対抗する縁部に形成された係止部が、第一被係止部と係合することで、物を設置可能な棚となる板状部と、を備える棚部が複数連結された縦横自在棚であって、前記棚部が縦方向に並ぶように連結された第１状態と、前記棚部が横方向に並ぶように連結された第２状態とに変形可能であり、前記支柱のうち、前記回転支軸が設けられた側の支柱間を、前記回転支軸との間に隙間が形成されるように、第二被係止部が架設され、前記第１状態においては、前記板状部の、前記係止部は、前記第一被係止部と係合され、前記第２状態においては、前記板状部の、前記係止部は、前記第二被係止部と前記回転支軸との間の隙間に係合されることを特徴とする。
【０００８】
第２発明は、請求項１記載の発明において、前記板状部に複数の形状に模った凹部を設けることで物を区別して設置することが可能となることを特徴とする。
【０００９】
第３発明は、請求項１又は請求項２記載の発明において、前記係止部が、前記第一被係止部、及び前記第二被係止部のいずれも係合されていない状態において、前記支持部が折り畳まれてそれぞれの前記板状部が重なった状態となることを特徴とする。
【発明の効果】
【００１０】
第１の発明によれば、係止部を２通りある被係止部のうちのどちらに係合するかにより、縦型にも横型にもなり得ることから、収納したい物の種類や収納ラックの置場のスペース等に応じて形態を変形させることができ、使用したい空間や状況に合わせて、棚の形態を容易に変更することができる。
【図面の簡単な説明】
【００１１】
【図１】第1の実施形態に係る本収納ラックの第１状態の斜視図である。
【図２】第1の実施形態に係る本収納ラックの第１状態の分解斜視図である。
【図３】第1の実施形態に係る本収納ラックの第２状態の斜視図である。
【図４】第1の実施形態に係る本収納ラックの第１状態から第２状態への変形の手順を示す説明図である。
【図５】第1の実施形態に係る本収納ラックの係合を示す説明図である。
【図６】第1の実施形態に係る本収納ラックの折り畳まれた状態の斜視図である。
【図７】第1の実施形態に係る本収納ラックの第２状態から折り畳まれた状態への変形の手順を示す説明図である。
【発明を実施するための形態】
【００１２】
以下、本発明の実施形態について図面を参照して説明する。
図１は、本実施形態における収納ラックを縦型に設置した場合の第１状態を示したものである。本収納ラック１は、一対の支持部５、回転支軸９ａ、第一被係止部２ａ、第二被係止部７ａ、係止部８ａ、棚部１Ａを備える。棚部１Ａは、板状部１ａ、１ｂ、１ｃ、１ｄ、１ｅ、１ｆの両端が回転支軸９ａ、及び第一被係止部２ａに互いに間隔をあけた状態で固定されることによって構成されている。
【００１３】
支持部５は支柱５ａと支柱５ｂの２本の支柱が交差され、その交差点において、支柱５ａ、５ｂが回動可能なように固定されることによって、形成されている。また、同様に支持部５は支柱５ｃと支柱５ｄの２本の支柱が交差され、その交差点において、支柱５ｃ、５ｄが回動可能なように固定されることによって、形成されている。
【００１４】
回転支軸９ａは、支持部５の互いに対向する支柱５ａ、５ｃの端部同士を連結するように設けられている。
【００１５】
第一被係止部２ａは、支持部５の回転支軸９ａとは他方の支柱５ｂ、５ｄの端部同士を連結し、支柱５ｂ、５ｄに対して回転可能な状態で設けられている。
【００１６】
第二被係止部７ａは、回転支軸９ａが設けられた側の支柱５ｃ、５ａ間をその回転支軸９ａとの間に隙間が形成されるように架設されている。
【００１７】
係止部８ａは、回転支軸９ａを支点に回転し、それとは対抗する縁部に形成されている。
【００１８】
棚部１Ａは、物を設置することが可能であるように板状部１ａ〜１ｆが複数並んで設けられたものである。なおこの板状部は、本実施形態で示したような複数個の棒状の部材ではなく、一枚板のようなものであってもよい。
【００１９】
図１は棚部１Ａ、１Ｂ，１Ｃ及び１Ｄが縦方向、上下に連結された状態を示している。また棚部は本実施形態で示す４枚に限定されることなく、複数に渡って連結可能である。
【００２０】
本実施形態では、これらの材料に木材を用いたが代わりに金属等を用いることも可能であり、以下に同じである。
【００２１】
また、第一被係止部２ａは回転しないものであっても本実施形態に支障をきたさないものの、係止部８ａとより容易に係合させる為には回転可能なものである方がより好ましい。係合される係止部８ａ側の接合面の角度に合わせて、第一被係止部２ａ側の接合面が回転により微調整され、係合が容易になるためである。
【００２２】
図２は上記に示した各構成要素の連結について示したものである。支柱５ａと支柱５ｂの２本の支柱は交差部１６ａで、それと対向する支柱５ｃと支柱５ｄの２本の支柱は交差部１６ｂで、本実施形態においてはそれぞれネジで連結されている。この際、ネジに代えて釘等で連結させることも可能であり、以下においても同様である。また、支柱５ａの一方の端部１０ａは回転支軸９ａの一方の端部１４ａの部分においてネジで連結される。支柱５ｂの一方の端部１１ａは第一被係止部２ａの一方の端部１５ａの部分においてネジで連結される。更に、支柱５ａの他方の端部１０ｂは、支柱６ｂの一方の端部１３ａと第一被係止部２ｂの一方の端部１８ａの間に挟まれる形で連結される。同様に、支柱５ｂの他方端部１１ｂは、支柱６ａの一方の端部１２ａと回転支軸９ｂの一方の端部１７ａの間に挟まれる形で連結される。上記連結が、連結され交差された２本の支柱それぞれに、さらに一対の対抗する支持部それぞれに複数連続して繰り返される。
【００２３】
図３は、棚部１Ｂ、１Ｃ及び１Ｄが横方向に連結された横型なる第２状態を示したものである。棚部は形態で示す３枚に限定されることなく、複数に渡って連結可能である。横型にした際、棚部１Ａについては、他の横方向に連結された水平な面を形成する棚部１Ｂ、１Ｃ、１Ｄと垂直下方向に固定される。  図１に示す第１状態と図３に示す第２状態とは変形可能である。  
【００２４】
図４は第１状態と第２状態との間の変形について順に図示したものであり、手順としては以下の通りである。まず、縦型の第１状態（ａ）である本収納ラックを棚部１Ａが左端になるよう（ｂ）のように横に寝かせる。次に、（ｃ）に示すように連結され交差された２本の支柱の端部同士を接近させるようにしながら、棚部１Ａ，１Ｂ、１Ｃ、１Ｄにおけるそれぞれの係止部８ａ、８ｂ、８ｃ、８ｄと第一被係止部２ａ、２ｂ、２ｃ、２ｄとの連結を解除すると、（ｄ）のような状態になる。その後、棚部１Ａについては元の状態に戻す形で係止部８ａと第一被係止部２ａとを連結させ、棚部１Ｂについてはその係止部８ｂが、回転支軸９ａと第二被係止部７ａとの間の隙間に係合されることにより、他複数の棚部も棚部１Ｂと同様になされることにより、第２状態（ｅ）となる。これら一連の動作は、軽い力で行え、また新たな備品等を使用する必要もないことから、容易な操作で行えるという利点を奏する。
【００２５】
図５（ａ）では、棚部１Ｂの係止部８ｂが回転支軸９ａと第二被係止部７ａとの間の隙間に係合される状態を示したものである。
【００２６】
図５（ｂ）では、支柱５ｂの一方の端部１１ｂが、支柱６ａの一方の端部１２ａと回転支軸９ｂの一方の端部１７ａの間に挟まれるようにネジで連結された状態を示している。これら支柱５ｂと支柱６ａの可動性、回転支軸９ｂの回転性については、Ａ−Ａ断面図（ｃ）に示すように支柱５ｂと支柱６ａとネジとの間には僅かな空間を設けることにより、また回転支軸９ｂはネジに固定されることによりそのネジの回転に合わせて同時に回転するようになるため、それぞれ可動性又は回転性が確保される。
【００２７】
図６では、第１状態又は第２状態であったものから折り畳まれた状態になったものを示している。
【００２８】
図７では図６に示すような折り畳まれた状態にするための手順を示している。図７の第２状態である（ａ）において、係止部８ａについては第一被係止部２ａと、係止部８ｂ、８ｃ及び８ｄについては第二被係止部７ａ、７ｂ及び７ｃと、の係合を連結され交差された２本の支柱同士の端部を接近させるようにしながら解除し、棚部１Ａ、１Ｂ、１Ｃ、１Ｄを重ねるようにすると（ｃ）のような状態になる。
以上で示した本実施形態の本収納ラック１は、第１の状態と第２の状態とを変化させる際の作業内容やその手順が容易である。また、収納したい物の種類や収納ラックの置場のスペース等に応じて形態を変形させることができ、使用したい空間や状況に合わせて使い分ける事ができる。
【００２９】
本実施形態における本収納ラック１は、本収納ラック１における棚部１Ａ、１Ｂ、１Ｃ、１Ｄについて、複数の形状に模った凹部を設けるというものである。これにより物を区別して設置することが可能となる。例えば同じような深さ、形状の凹部を複数の各棚部１Ａ、１Ｂ、１Ｃ、１Ｄの同じ位置に設けた場合や、縦型とした場合における下段から上段に向かって徐々に棚部１Ａ、１Ｂ、１Ｃ、１Ｄに設けた凹部の深さを浅くしていった場合などにおいては、棚部が折り畳まれた際の不都合を生じない。また複数の凹部の形状について例示するならば、小物や雑貨類を置くための浅めの形状のものや、鉢等を置けるような深めの形状のもの、等が挙げられる。
【００３０】
本実施形態における本収納ラック１は、図７（ｃ）に示すように、複数の係止部が複数の第一被係止部や、複数の第二被係止部のいずれにも係合されていない状態において、複数の支持部が折り畳まれて複数の棚部が重なった状態になったものである。この係合を解除する動作についても、軽い力で係合を解くことにより、迅速に折り畳まれてコンパクトになる点において優れている。
【符号の説明】
【００３１】
１                                        本収納ラック
１Ａ、１Ｂ、１Ｃ、１Ｄ                      棚部
１ａ、１ｂ、１ｃ、１ｄ、１ｅ、１ｆ          板状部
２ａ、２ｂ、２ｃ                            第一被係止部
７ａ、７ｂ、７ｃ                            第二被係止部
５                                          支持部
５ａ、５ｂ、５ｃ、５ｄ、６ａ、６ｂ          支柱
８ａ、８ｂ、８ｃ、８ｄ                      係止部
９ａ、９ｂ、９ｃ                            回転支軸
【図１】
0006038239.tif 000002
【図２】
0006038239.tif 000003
【図３】
0006038239.tif 000004
【図４】
0006038239.tif 000005
【図５】
0006038239.tif 000006
【図６】
0006038239.tif 000007
【図７】
0006038239.tif 000008